(57)【要約】【課題】タバコを吸う時に、ライタ−を直ぐ見つけられない時が多々ある。外などでタバコを吸う時、風で火が付きにくいときがある。首に巻く時、短すぎると火をつけ難いだけでなく、ゴム紐を伸ばした時、手が滑って顔や体にライタ−がぶつかるかもしれない。オイルライタ−・ペンダントが重い。【解決手段】首から下げているので、すぐ見つけられる。オイルライタ−・ペンダントの裏に板を重ねて貼る。必ず、火が付くとは言えないが、風よけの板をつけることで、以前よりも火が付きやすくなる。なるべくなら、ゴム紐を長目にする。基本的に、大工、鳶、鍛冶屋、土工、など建設業関係の方々を、イメ−ジをして作りました。男性が多い職場での発明です。落としても気付き易く、逆にこの重さが良いと言う人も多い。【選択図】図１
2015052447.tif 000002
【特許請求の範囲】
【請求項１】
オイルライタ−にナットをはんだ付けして、ゴム紐を通して首から吊るしストッパ−で長さを調節します。
【請求項２】
ナットをはんだ付けする箇所は、オイルライタ−の底部と、その両端部分が考えられる。
【請求項３】
両端部分に付けた場合、オイルライタ−が斜めになるので、それに合わせて、色、柄、デザイン、ペイント、彫刻、キャラクタ−等を入れられる事が考えられます。  例：クロス（十字架）など
【請求項４】
ゴム紐の代わりに、毛糸や、皮紐、ポリエステル繊維、ビニール、鎖（チェーン）、ナイロン繊維、紐などが考えられます。
それらは、いろいろな色に変えることが可能である。
【請求項５】
紐、ゴム紐などは長さを、ストッパ−で調節できますが、単に、手で結んでも良い。
【請求項６】
ナットの大きさは、紐、ゴム紐などが通れば、問題はない。
はんだ付けし易ければ、なお良い。
【請求項７】
タバコ、ライタ−、灰皿は、ほとんどの場合、独立しているので、ライタ−だけでも、すぐに胸に有ると分かっていれば、便利である。
【請求項８】
ペンダントとしても使えるので、好きな長さにして、首にかけてオシャレに楽しむ。
仕事や作業（感電の危険性がある時など）では、外すか、服の中に入れて、出ないように注意する。
【請求項９】
オイルライター・ペンダントの裏に薄い板を付けて、風除けとする。
板を付ける方法は、はんだ付けや、接着剤が考えられるが、火を付ける時に、邪魔にならない様に、板を加工する。
【請求項１０】
あまり、細いゴム紐などは勧められない。肩が凝るかもしれない。
【発明の詳細な説明】
【発明の詳細な説明】
【技術分野】
【０１】名称にあるように、オイルライタ−にはんだ付けでナットを取り付け、太めのゴム紐をナットに通し、ストッパ−を付けたものです。
首から吊るして、ペンダントとして使え、タバコを吸いたければ、ゴム紐を伸ばして、ライタ−として火を付けます。
ナットをオイルライタ−に付ける位置は、色々考えられますが、右利きの人がオイルライタ−を握った場合、蓋を右から上に開けた時、オイルライタ−の左下の角にナットが有れば、今までより指が引っ掛り易く、持ちやすいことが分かりました。
オイルライタ−の上部に、ナットを付けるとゴム紐に、火が引火する可能性があり、又、蓋が勝手に開いたりして危険です。
左利き用は、もう一方の角にナットを付ければ良い。しかし、実際に使ってみると、どちらでも使えない事はありません。
オイルライタ−・ペンダントなので、ペンダントにする為、ライタ−の表面に色や、柄、デザイン、ペイント、彫刻、キャラクタ−等を入れられる事が考えられます。
注意点として、ゴム紐を引っ張ったとき、手を滑らして、ライタ−を顔や体などにぶつけないように、注意しなければいけない。
【背景技術】本発明は、ライタ−を探す手間を省き、直ぐにタバコに火を付けられます。  それ以外は、ペンダントとしてオシャレに使うものです。
また、服の首の中に入れて、仕事や作業をしてもよい。
電気関係の仕事や作業の場合などは、外すか服から出ないように、感電などの危険に注意が必要である。また、オイルライタ−・ペンダントの裏に点火の邪魔にならないように、薄い板を付けて風よけとします。
【発明が解決しようとする課題】
【０１】タバコを吸う時、灰皿、ライタ−、たばこの三つは、ほぼ独立しています。
ライタ−だけでも、探す手間が省けないか。
【０２】オイルライタ−は火が消えにくいと言われているが、それでも、風が強いときなど、消えてしまう。
【課題を解決するための手段】
【０１】ライタ−をペンダントとして、首から吊るす。
【０２】ライタ−の裏に風除け用の板を張る。
固定型と可動型が考えられます。
（着火の邪魔にならないように板を加工しなければいけない。）
【発明の効果】
【０１】どこでもペンダントとして、身につけて、ライタ−を探すことなく、タバコを喫煙可能場所で、すぐ吸えます。
【０２】オイルライタ−の角にナットを付ける為、首から吊るした時、オイルライタ−が、斜めになるので、それに合わせて、色や、柄、デザイン、ペイント、彫刻、キャラクタ−等を入れられると良いと考えられます。
【０３】一応、男性用として考えましたが、女性用としても、十分に使えます。
このオイルライタ−・ペンダントは、私が建設業（大工）に携わっていた頃、休憩時間にライタ−を探していた経験によるものです。
高所作業中に休憩時間になった時など、降りて行く訳にもいかず、ライタ−、タバコ、携帯灰冊を揃えるのに、手間取らなくなりました。
【図面の簡単な説明】
【図１】本発明の、オイルライタ−・ペンダントの表平面図
【図２】同オイルライタ−・ペンダントの裏平面図
【図３】使用図
【発明を実施するための最良の形態】
【０１】縦  約６０ｍｍ×横  約４０ｍｍ×厚さ  約１２ｍｍ【０２】ゴム紐の長さ        約１０００ｍｍ
【図１】
2015052447.tif 000003
【図２】
2015052447.tif 000004
【図３】
2015052447.tif 000005
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
オイルライタ−の底の部分にナットをはんだ付けして、ゴム紐を通して首から吊るしストッパ−で長さを調節することで、ペンタントとしても使え、
どこでも直ぐに火を付けられることを特徴とするオイルライタ−・ペンダント。
【請求項２】
オイルライタ−の裏に薄い板をはんだ付けして、風除けとすることを特徴とする請求項１記載のオイルライタ−・ペンダント。
【手続補正２】
【補正対象書類名】明細書
【補正対象項目名】全文
【補正方法】変更
【補正の内容】
【発明の詳細な説明】
【技術分野】
【０００１】本発明はオイルライタ−及びペンダントに関する。
【背景技術】
【０００２】従来のライタ−は、ポッケトや鞄などに入れて見つける手間を省き、直ぐにタバコに火を付けられる。  ペンダントとしても使える。
【発明の開示】
【発明が解決しようとする課題】
【０００３】タバコを吸う時、灰皿、ライタ−、タバコの三つは、ほぼ独立している。
ライタ−だけでも、探す手間が省けないか。
また、風が強いときなど、火が消える。
【課題を解決するための手段】
【０００４】ライタ−をペンダントとして、首から吊るし、裏に風除け用の板を張ることで上記課題を解決する。
【発明の効果】
【０００５】どこでもペンダントとして、身につけて、ライタ−を探すことなく、タバコを喫煙可能場所で、すぐ吸える。
【発明を実施するための最良の形態】
【０００６】縦  約６０ｍｍ×横  約４０ｍｍ×厚さ  約１２ｍｍ
ゴム紐の長さ    約１０００ｍｍ
【図面の簡単な説明】
【図１】本発明の、オイルライタ−・ペンダントの表平面図
【図２】同オイルライタ−・ペンダントの裏平面図
【図３】使用図